(57)【要約】【課題】  隣接する遊技者に煙草の煙が流れることを防止することができる低コスト、且つ簡単な構成で設置が容易な遊技機の煙草の煙遮断具を提供することを目的とする。【解決手段】  透明性を有する材質からなる煙遮断板５であって、隣接する遊技機１，９間に取付手段６，７，８を介して前方に突出するように取り付けたことを特徴とする。【選択図】      図１
2007029496.tif 000002
【特許請求の範囲】
【請求項１】
透明性を有する材質からなる煙遮断板（５）であって、隣接する遊技機（１，９）間に取付手段（６，７，８）を介して前方に突出するように取り付けたことを特徴とする遊技機の煙草の煙遮断具。
【請求項２】
前記煙遮断板（５）には、光源（１１）が備えてあることを特徴とする請求項１記載の遊技機の煙草の煙遮断具。
【請求項３】
前記煙遮断板（５）の下方には、支持脚（１０）が備えてあることを特徴とする請求項１又は２記載の遊技機の煙草の煙遮断具。
【請求項４】
前記支持脚（１０）には、肘掛け（１２）が備えてあることを特徴とする請求項３記載の遊技機の煙草の煙遮断具。
【発明の詳細な説明】
【技術分野】
【０００１】
本発明は、横方向に連ねて複数配置したパチンコ台やスロット台等の遊技機において、遊技者が吸う煙草の煙が隣接する遊技機に流れることを防ぐことができる遊技機の煙草の煙遮断具に関するものである。
【背景技術】
【０００２】
パチンコ店等の遊技場では、ゲームを楽しみながら喫煙する遊技者が多い。このため、遊技場内には煙草の煙が充満し、空気が汚染された状態になっている。特に、喫煙する遊技者が吐き出す煙や、灰皿から立ち上る煙は有害とされており、しかも、これらの煙は横方向に流れるため、隣接する遊技者は否応無しにこの有害な煙を吸わざるを得ない。このため、隣接する遊技者が喫煙しない場合は、この状況が誠に耐え難い状態となり、その結果、ゲームに集中することが困難となり、別の遊技機に移動しようとしたとしても、多数の喫煙する遊技者を避けて遊技機を選ぶことは難しく、最終的には遊技場に足を運ぶことをためらうような事態を引き起こしてしまうことになる。
【０００３】
このことから、従来、隣接する遊技機同士の各境界部の上下方向に設けた複数の吹出部からエアを前方側に吹き出してエアカーテンを生じさせたり（特許文献１、２及び３）、遊技機の前方に張り出す水平なカウンターに設けた複数の吹出部、又は遊技機の上部に設けた複数の吹出部から、斜め上向き、又は斜め下向きにエアを吹き出して、側面視した際に、遊技者の口元付近を遮断するようにエアカーテンを生じさせたり（特許文献３）する等、個々の遊技機を隣接する遊技機からの煙草の煙から遮断する装置が提案されている。
【特許文献１】特開平１０−１６５６２５号公報
【特許文献２】特開平１０−１１８３２７号公報
【特許文献３】特開平９−７３２号公報
【発明の開示】
【発明が解決しようとする課題】
【０００４】
しかしながら、上記装置は、ブロワーやエアコンプレッサー等のエア供給源や各吹出部を接続する配管等が必要となり、装置自体が大掛かりなものになると共に、装置を設置する場合にも、個々の遊技機に工事が必要となることは勿論のこと、複数の遊技機を設置する島全体にも工事が必要となって設置工事が大掛かりなものとなり、装置及び設置工事のコストが高くなるという問題があった。
【０００５】
本発明は、上記事情に鑑てなされたものであり、隣接する遊技者に煙草の煙が流れることを防止することができる低コスト、且つ簡単な構成で設置が容易な遊技機の煙草の煙遮断具を提供することを目的とする。
【課題を解決するための手段】
【０００６】
上記目的を達成するために、本発明のうち請求項１記載の発明は、透明性を有する材質からなる煙遮断板であって、隣接する遊技機間に取付手段を介して前方に突出するように取り付けたことを特徴とする。
【０００７】
ここで煙遮断板の材質については、遊技機に取り付けた際に通路側に飛び出すことから、遊技者が接触しても危険にならないような軟らかい材質にすることが望ましく、例えばアクリル樹脂等のプラスチックを挙げることができる。取付手段とは、ビス等の取付金具や、遊技機間の取付箇所に煙遮断板を挿し込み可能な凹溝を形成する等、遊技機間に取り付けることが可能な手段を全て含める概念である。
【０００８】
請求項２記載の発明は、前記煙遮断板に光源を備えていることを特徴とする。光源については、安全性の面から電灯であれば特に限定しないが、省スペースで発熱がほとんどない発光ダイオードにすることが望ましい。
【０００９】
請求項３記載の発明は、煙遮断板の下方に支持脚を備えていることを特徴とする。
【００１０】
また、請求項４記載の発明は、支持脚に肘掛けが備えてあることを特徴とする。
【発明の効果】
【００１１】
本発明のうち請求項１記載の発明によれば、煙遮断板を遊技機間に取り付けることにより、煙草の煙が隣接する遊技機に流れることを防止できるので、隣接する遊技者が有害な煙を直接吸うことがなく、ゲームに集中することができる。また、煙遮断板が透明であるため、遊技機間に取り付けたとしても圧迫感がなく、開放的な気分でゲームを楽しむことができる。さらに、煙遮断板の構成が単純で、且つ取り付け作業も簡便に行えるので、従来の大掛かりな装置に比べて非常に低コストとなる。
【００１２】
本発明のうち請求項２記載の発明によれば、光をあてることで煙遮断板全体が光って華やかとなるため、煙遮断板を遊技場内の装飾として利用することが可能となり、華やかな遊技場内に違和感なく設置することができる。また、煙遮断板全体が光ることで、遊技者に煙遮断板の存在を気が付かせることが可能となり、安全性の面からも非常に好都合となる。
【００１３】
本発明のうち請求項３記載の発明によれば、支持脚を備えることにより、煙遮断板の取り付け状態を安定に保つことができる。
【００１４】
本発明のうち請求項４記載の発明によれば、肘掛けを備えることにより、楽な姿勢でくつろぎながらゲームを楽しむことができる。
【発明を実施するための最良の形態】
【００１５】
以下、本発明の実施形態を図面に基づいて説明する。
【００１６】
本発明の遊技機の煙草の煙遮断具は、パチンコ台、スロット台、その他適宜の遊技機に適用することができるが、図１にはスロット台１に適用した一実施例が示してある。スロット台１は横方向に複数台隣接して設けてあり、スロット台１とスロット台１の間に設けられた台間化粧板２に、本発明の煙遮断具が取り付けてある。また、スロット台１の下方にはカウンター３が設けてあり、そのカウンター３には灰皿４が備えてある。
【００１７】
図２は、煙遮断具の第１実施形態を示す側面図である。第１実施形態の煙遮断具は、透明なアクリル樹脂からなる薄い板体５であり、スロット台１間の台間化粧板２に取り付けた場合、スロット台１の上端からカウンター３上面までを遮断することができる形態のものである。板体５の形状は、スロット台１からの突出幅が下方に向かって小さくなるように形成されており、板体５上部の突出側は安全性の面から丸みを持たせた形状にしてある。このように形成すれば、遊技者の口元に位置する板体５上部の面積が大きくなり、煙草の煙が横に流れることを確実に防止することができると共に、下方に向かって突出幅を小さくすることにより、遊技者の肘にあたる部分が開放されて動きが窮屈になることがなく、またカウンター３に備えた灰皿４からの煙も確実に遮断することができる。板体５の中心部には、遊技場名等の文字５ａが彫り込まれている。
尚、板体５の形状については、上記形状のものに限定されるものではなく、煙を遮断することが可能であれば方形状や半球状等であっても勿論よい。
【００１８】
図３は、前記板体５のスロット台１への取り付け方法を示す平面図である。まず、スロット台１間に配設される台間化粧板２の上下方向に凹溝６を形成する。次に、該凹溝６に板体５を挿し込み、最後に、Ｌ字状の固定金具７を介して板体５の上下端部を台間化粧板２にビス８止めすることにより取り付けが完了する。
尚、凹溝６については、必ずしも台間化粧板２に形成しなくてもよく、例えば凹状部材を台間化粧板２に取り付ける等して、スロット台１側の工事を不要にすることもできる。
【００１９】
図４には、本発明の煙遮断具をパチンコ台９に適用した一実施例を示してある。パチンコ台９は横方向に複数台隣接して設けてあり、パチンコ台９とパチンコ台９の間に設けられた台間化粧板２に、本発明の煙遮断具が取り付けてある。また、パチンコ台９の下端にはカウンター３が設けてあり、該カウンター３には灰皿４が備えてある。
【００２０】
図５及び図６は、煙遮断具の第２実施形態を示す側面図及び正面図である。第１実施形態と相違するとことは、板体５の下端に支持脚１０が備えてあり、その支持脚１０にはＬＥＤ照明１１と肘掛け１２が備えてある点である。支持脚１０は断面が方形状をなすパイプに曲げ加工を施したものであり、側面視した際に略コ字状になるように成形してある。支持脚１０の上端部には、Ｌ字状の取付金具１３を介して肘掛け１２が取り付けてり、また上端内部にはＬＥＤ照明１１が備えてある。
【００２１】
図７（ａ）（ｂ）は、板体５と支持脚１０の連結部分を示す拡大断面図である。板体５の下端部には凸部５ｂが形成されており、該凸部５ｂを支持脚１０の上端に形成した挿込穴１０ａに挿し込むことにより連結が完了する。挿込穴１０ａと略対応する位置の支持脚１０内部にはＬＥＤ照明１１が取付台１１ａを介して４灯備えてあり、板体５の下方側から光を照射可能にしてある。ここで４灯のＬＥＤ照明１１の発光色をそれぞれ異ならせ、且つ一定の時間間隔をあけて発光させるようにしておけば、より一層装飾効果が優れたものとなる。また連結部分の支持脚１０の側面には、ビス１４止めされる取付金具１３を介して肘掛け１２が備えてある。また連結部分の支持脚１０の下端には、パチンコ台９のカウンター３に支持脚１０を固定させる際に使用するビス１５を覆う筒状のカバー体１６が備えてある。
【００２２】
次に、パチンコ台に第２実施形態の煙遮断具を取り付ける方法を説明する。まず、パチンコ台９間に配設される台間化粧板２の上下方向に凹溝６を形成する。次に、支持脚１０をパチンコ台９に取り付けるが、支持脚１０の上端部の端面をカウンター３の上方の台間化粧板２に当接させ、支持脚１０の下端部をフロアー１７上に載置すると共に、端面をパチンコ台９の下端部に当接させ、支持脚１０の上下端部をカウンター３及びフロアー１７にそれぞれビス１５，１８止めして固定する。ここで、支持脚１０の上端部とカウンター３との間には隙間が形成されることから、打ち込んだビス１５が露出してしまうことを防ぐためにカバー体１６でビス１５を覆っている。次に、前記凹溝６の上から板体５を挿し込み、板体５下端の凸部５ｂを支持脚１０の挿込穴１０ａ内に挿し込む。そして最後に、Ｌ字状の固定金具７を介して板体５の上端部を台間化粧板２にビス８止めすることにより取り付けが完了する。
【図面の簡単な説明】
【００２３】
【図１】本発明の煙草の煙遮断具の第１実施形態の使用例を示す斜視図である。
【図２】煙草の煙遮断具の第１実施形態を示す側面図である。
【図３】第１実施形態の取り付け方法を示す平面図である。
【図４】本発明の煙草の煙遮断具の第２実施形態の使用例を示す斜視図である。
【図５】煙草の煙遮断具の第２実施形態示す側面図である。
【図６】煙草の煙遮断具の第２実施形態示す正面図である。
【図７（ａ）（ｂ）】図５のＡ及び図６のＢを拡大して示す断面図である。
【符号の説明】
【００２４】
１  スロット台（遊技機）
５  板体（煙遮断板）
６  凹溝（取付手段）
７  固定金具（取付手段）
８  ビス（取付手段）
９  パチンコ台（遊技機）
１０  支持脚
１１  ＬＥＤ照明（光源）
１２  肘掛け
【図１】
2007029496.tif 000003
【図２】
2007029496.tif 000004
【図３】
2007029496.tif 000005
【図４】
2007029496.tif 000006
【図５】
2007029496.tif 000007
【図６】
2007029496.tif 000008
【図７（ａ）（ｂ）】
2007029496.tif 000009